(57)【特許請求の範囲】
【請求項１】
それぞれ少なくとも１つの移動電話（３１、３２、...、３ｍ、３ｎ）にて、前記移動電話（３１、３２、...、３ｍ、３ｎ）によって受信されるテスト信号の信号レベル及び所与の数の周波数に関して、それぞれの移動電話（３１、３２、...、３ｍ、３ｎ）の少なくとも１つの調節可能なデバイスパラメータのデバイスパラメータ値を設定し、前記信号レベル及び前記所与の数の周波数に関する前記テスト信号を測定機器（５）から前記移動電話（３１、３２、...、３ｍ、３ｎ）に送信し、それぞれの移動電話（３１、３２、...、３ｍ、３ｎ）によって受信される前記テスト信号の関連の信号パラメータを測定することによって、前記移動電話（３１、３２、...、３ｍ、３ｎ）の少なくとも１つのデバイスパラメータの複数のデバイスパラメータ値と前記移動電話（３１、３２、...、３ｍ、３ｎ）によって受信される前記テスト信号の少なくとも１つの信号パラメータとの間のそれぞれの依存関係を決定するための方法において、
前記受信されたテスト信号の前記信号レベル及び前記所与の数の周波数に関する、前記それぞれの移動電話（３１、３２、...、３ｍ、３ｎ）の前記少なくとも１つの調節可能なデバイスパラメータの前記デバイスパラメータ値の減分又は増分と、前記それぞれの移動電話（３１、３２、...、３ｍ、３ｎ）によって受信される前記テスト信号の前記関連の信号パラメータの前記測定との両方が複数回実行され、
前記信号レベルと、全ての前記周波数と、各周波数に関連付けられる少なくとも１つのデバイスパラメータのそれぞれのデバイスパラメータ値とが、測定の開始時にそれぞれの移動電話（３１、３２、...、３ｍ、３ｎ）に存在し、前記デバイスパラメータが受信増幅器のオフセット電圧である、方法。
【請求項２】
各場合に、１つの周波数とデバイスパラメータの１つのデバイスパラメータ値とにそれぞれ関連付けられる、それぞれの移動電話（３１、３２、...、３ｍ、３ｎ）によって受信される信号の全ての信号パラメータ値の測定が、直接連続して互いに続くことを特徴とする請求項１に記載の方法。
【請求項３】
各場合に、同一の周波数とデバイスパラメータの異なるデバイスパラメータ値とにそれぞれ関連付けられる、それぞれの移動電話（３１、３２、...、３ｍ、３ｎ）によって受信される信号の全ての信号パラメータ値の測定が、直接連続して互いに続くことを特徴とする請求項２に記載の方法。
【請求項４】
あらゆるデバイスパラメータのあらゆるデバイスパラメータ値にそれぞれ関連付けられ、且つ前記受信信号のそれぞれ１つの周波数にそれぞれ関連付けられる、前記受信信号の信号パラメータの全ての測定が、あらゆるデバイスパラメータのあらゆるデバイスパラメータ値にそれぞれ関連付けられ、且つ前記受信信号のそれぞれ１つのさらなる周波数にそれぞれ関連付けられる、前記受信信号の信号パラメータの全ての測定の前に実施されることを特徴とする請求項１〜３のいずれか一項に記載の方法。
【請求項５】
デバイスパラメータのあらゆるデバイスパラメータ値と、前記受信信号のあらゆる所定の周波数にそれぞれ関連付けられる、前記受信信号の信号パラメータの全ての測定が、さらなるデバイスパラメータのあらゆるデバイスパラメータ値と、前記受信信号のあらゆる所定の周波数とにそれぞれ関連付けられる、前記受信信号の前記信号パラメータの全ての測定の前に実施されることを特徴とする請求項１〜３のいずれか一項に記載の方法。
【請求項６】
それぞれの移動電話（３１、３２、...、３ｍ、３ｎ）によって発生される、受信される信号の信号パラメータ値のあらゆる測定に関して、所与の期間を有するタイムスロットが提供されることを特徴とする請求項１〜５のいずれか一項に記載の方法。
【請求項７】
前記受信信号の所定の周波数にそれぞれ関連付けられる、信号パラメータ値の測定のための前記タイムスロットが、時間フレーム内で互いに直接隣接することを特徴とする請求項６に記載の方法。
【請求項８】
前記受信信号の所定の周波数にそれぞれ関連付けられる、信号パラメータ値の測定のための前記タイムスロットが、各場合に所与の数の、測定が実施されないタイムスロットによって、時間フレーム内で時間的に互いから離されて並べられることを特徴とする請求項６に記載の方法。
【請求項９】
各場合に、測定が実施されないタイムスロットが、前記受信信号の２つの所定の周波数間の移行時に挿入されることを特徴とする請求項６〜８のいずれか一項に記載の方法。
【請求項１０】
それぞれの移動電話（３１、３２、...、３ｍ、３ｎ）に既に格納されている周波数と、それぞれの周波数に関連付けられる前記個々のデバイスパラメータのデバイスパラメータ値との場合に、個々のデバイスパラメータの個々のデバイスパラメータ値に関連付けられる個々の信号パラメータの信号パラメータ値の測定が、それぞれの移動電話（３１、３２、...、３ｍ、３ｎ）のトリガによって外部から開始されることを特徴とする請求項１〜９のいずれか一項に記載の方法。
【請求項１１】
個々のデバイスパラメータの個々のデバイスパラメータ値に関連付けられる個々の信号パラメータの信号パラメータ値の測定が、周波数と、前記周波数にそれぞれ関連付けられる個々のデバイスパラメータのデバイスパラメータ値とをそれぞれの移動電話（３１、３２、...、３ｍ、３ｎ）に格納した後に開始されることを特徴とする請求項１〜９のいずれか一項に記載の方法。
【請求項１２】
個々の測定の実施の前に、それぞれの移動電話（３１、３２、...、３ｍ、３ｎ）が、測定機器（５）及び／又は上位手順制御ユニット（１）と同期されることを特徴とする請求項１〜１１のいずれか一項に記載の方法。
【請求項１３】
少なくとも１つの移動電話（３１、３２、...、３ｍ、３ｎ）に対して、少なくとも１つのデバイスパラメータの所与の数のデバイスパラメータ値の各デバイスパラメータ値と、所定の信号レベルと、所与の数の所定の周波数の各周波数と、に関するテスト信号を送信する測定機器（５）を用いて、前記少なくとも１つの移動電話（３１、３２、...、３ｍ、３ｎ）の少なくとも１つのデバイスパラメータの複数のデバイスパラメータ値とそれぞれの移動電話（３１、３２、...、３ｍ、３ｎ）によって受信される信号の少なくとも１つの信号パラメータとの間の依存関係を決定するためのシステムであって、前記デバイスパラメータの前記所与の数のデバイスパラメータ値の減分又は増分されたデバイスパラメータ値の各々を設定し、前記受信されるテスト信号の信号パラメータを測定するシステムにおいて、
前記信号レベルと、全ての前記周波数と、各周波数にそれぞれ関連付けられる少なくとも１つのデバイスパラメータのデバイスパラメータ値とが、測定の開始時にあらゆる移動電話（３１、３２、...、３ｍ、３ｎ）に存在し、前記デバイスパラメータが受信増幅器のオフセット電圧であることを特徴とするシステム。
【請求項１４】
前記測定の開始時に、上位手順制御ユニット（１）から、前記受信信号の全ての周波数が、前記測定機器（５）に供給されることを特徴とする請求項１３に記載のシステム。
【請求項１５】
少なくとも１つの移動電話（３１、３２、...、３ｍ、３ｎ）から前記測定機器（５）への各受信信号の伝送が、各場合に１つの回線接続（６；６'；６１、６２、...、６ｍ、６ｎ）を介して実施されることを特徴とする請求項１３又は１４に記載のシステム。
【請求項１６】
移動電話（３）から前記測定機器（５）への前記受信信号の伝送が、２つの回線接続（２'；６）を介して実施されることを特徴とする請求項１３又は１４に記載のシステム。
【発明の詳細な説明】
【技術分野】
【０００１】
本発明は、移動電話のデバイスパラメータと移動電話によって送信及び／又は受信される信号の信号パラメータとの間の依存関係を決定するための方法及びシステムに関する。
【背景技術】
【０００２】
製造プロセスの終了時に不良移動電話を識別するために実施される、移動電話の製造における１つの重要な段階は、受信又は送信増幅器のオフセット電圧など、移動電話の受信及び／又は送信チャネルでの所与のデバイスパラメータ値に応じた、テスト対象の移動電話によって送信又は受信される信号の様々な信号パラメータ、例えば誤差変調ベクトル（ＥＭＶ）又はコード領域パラメータ（ＣＤＰ）の質のテストである。このために、測定された信号パラメータは、正確な許容範囲を定義するしきい値と比較される。
【０００３】
移動電話によって送信及び／又は受信される信号の個々の信号パラメータの連続測定値が単に後の評価のためにアーカイブされる純粋に静的なプロセステストの場合、しきい値比較、及びその結果得られる不良移動電話の隔離は必要とされない。
【０００４】
不良移動電話の識別と、プロセスパラメータの静的プロセス測定との両方の適用分野に関して、高精度テストに加えて、短いテスト時間が望ましい。特に、複数の送信及び受信周波数にわたって、且つ複数のデバイスパラメータのそれぞれ複数のデバイスパラメータ値にわたって、送信及び受信信号の複数の信号パラメータに関して移動電話を測定しなければならないテストの文脈では、テスト時間は、負の影響を与えることがある。
【０００５】
従来、移動電話によって受信される信号の周波数及び信号レベルが、上位手順制御ユニットから測定機器に送信され、移動電話によって送信される信号の周波数及び信号レベルが、移動電話に設定すべきデバイスパラメータのデバイスパラメータ値と共に移動電話に送信され、次いで、測定機器と移動電話との後続の同期を伴うトリガの後、移動電話の送信及び／又は受信信号の個々の関連の信号パラメータの測定値が、測定機器によって記録される。
【０００６】
テストすべき送信及び／又は受信信号の個々の周波数及び信号レベルの送信と、移動電話の幾つかの場合には複数のデバイスパラメータの個々のデバイスパラメータ値とに関する送信時間も、実際のテスト時間に不利益に加えられる。これは、全ての周波数で送信及び／又は受信される信号の全ての信号パラメータを測定するための総時間を大幅に延ばす。
【発明の概要】
【発明が解決しようとする課題】
【０００７】
したがって、本発明の目的は、移動電話をテストするための方法及びシステムであって、移動電話の幾つかの場合には複数のデバイスパラメータの複数のデバイスパラメータ値に対する、移動電話によって送信又は受信される信号の複数の信号パラメータの依存関係を測定するための全体のテスト時間が従来技術に比べて大幅に短縮される方法及びシステムを提供することである。
【課題を解決するための手段】
【０００８】
本発明の目的は、請求項１に記載の特徴を有する、移動電話のデバイスパラメータと移動電話によって送信及び／又は受信される信号の信号パラメータとの間の依存関係を決定するための方法と、請求項１７に記載の特徴を有する、移動電話のデバイスパラメータと移動電話によって送信及び／又は受信される信号の信号パラメータとの間の依存関係を決定するためのシステムとによって達成される。本発明の有利なさらなる発展形態は、従属クレームで指定される。
【０００９】
移動電話のデバイスパラメータと移動電話によって送信及び／又は受信される信号の信号パラメータとの間の依存関係を決定するための本発明による方法及び本発明によるシステムでは、移動電話によって送信及び受信される信号の全ての周波数及び信号レベルと、タイプテスト中に移動電話に設定することができる全てのデバイスパラメータの全てのデバイスパラメータ値とが、テストの開始時に、移動電話又は測定機器に既に存在する。
【００１０】
これらのパラメータ値は、移動電話又は測定機器に前もって格納することができ、外部トリガソースによる移動電話又は測定機器のトリガの後、タイプテストの過程中に移動電話又は測定機器によって連続的に調節することができる。
【００１１】
別法として、個々のパラメータ値は、上位手順制御ユニットによってテストの開始時に移動電話又は測定機器に格納され、格納が正常に行われた後、個々のテストが、第１のパラメータセットの調節から始められる。
【００１２】
移動電話と測定機器との間での同期されたテスト手順は、上位手順制御ユニットから移動電話又は測定機器への同期信号の同時送信によって保証される。
【００１３】
総計４つの周波数帯域、周波数帯域当たり１０個の送信チャネル、及び各送信チャネルごとにデバイスパラメータの５つのデバイスパラメータ値に関して、従来技術による３０〜８０秒の総テスト時間は、移動電話のデバイスパラメータと移動電話によって送信及び／又は受信される信号の信号パラメータとの間の依存関係を決定するための本発明による方法及びシステムによって１秒未満まで短縮される。
【００１４】
本発明による方法の手順は、幾つかの実施形態で実現することができる。
【００１５】
本発明による方法の第１の実施形態では、送信及び受信信号の各場合に１つの設定周波数と、所与のデバイスパラメータの１つの設定デバイスパラメータ値とに関して、送信信号の個々の信号パラメータが記録され、これにすぐ続いて、受信信号の個々の信号パラメータが記録される。
【００１６】
本発明による方法の第２の実施形態では、測定機器が、受信信号の周波数及び信号レベルに対応するテスト信号を、各場合に別の接続線を介して移動電話に送信し、それと同時に、移動電話が、送信信号を測定機器に送信することによって、送信及び受信信号の各場合に１つの同一設定周波数と、所与のデバイスパラメータの１つの設定デバイスパラメータ値とに関して、送信及び受信信号の個々の信号パラメータが同時に記録される。
【００１７】
本発明による方法の第３の実施形態では、最初に、送信信号の全ての設定周波数と、設定すべき全てのデバイスパラメータの全ての設定デバイスパラメータ値とで、送信信号の個々の信号パラメータが、関連性をもって又は逆手順で記録され、これに続いて、受信信号の全ての設定周波数と、設定すべき全てのデバイスパラメータの全ての設定デバイスパラメータ値とで、受信信号の個々の信号パラメータが、関連性をもって又は逆手順で記録される。
【００１８】
本発明による方法の第４の実施形態では、最初に、同時に送信信号と受信信号との設定周波数値と、設定すべき全てのデバイスパラメータの全ての設定デバイスパラメータ値とで、送信信号の個々の信号パラメータが記録され、これに続いて、同一設定周波数値で、設定すべき全てのデバイスパラメータの全ての設定デバイスパラメータ値で、受信信号の個々の信号パラメータが、関連性をもって又は逆手順で記録され、その後、次いで、さらなる周波数値で、送信及び受信信号の個々の信号パラメータが同様に記録される。
【００１９】
本発明による方法の第１、第２、第３、又は第４の実施形態の第１の副実施形態変形態様では、送信及び／又は受信信号の全ての調節可能な周波数が、移動電話で調節可能な１つのデバイスパラメータの１つの設定デバイスパラメータ値に関して調節され、タイプテストに関連する送信及び／又は受信信号の関連の信号パラメータが測定され、その後、次いで、送信及び／又は受信信号の全ての調節可能な周波数が、全ての調節可能なデバイスパラメータのさらなるデバイスパラメータ値に関して連続的に調節され、送信及び／又は受信信号の関連の信号パラメータが測定される。
【００２０】
本発明による方法の第１、第２、第３、又は第４の実施形態の第２の副実施形態変形態様では、テストに関して調節可能なデバイスパラメータの全ての調節可能なデバイスパラメータ値が、移動電話によって送信及び／又は受信される信号の各場合に１つの周波数に関して設定され、タイプテストに関連する送信及び／又は受信信号の関連の信号パラメータが測定され、その後、次いで、全ての調節可能なデバイスパラメータの全ての調節可能なデバイスパラメータ値が、送信及び／又は受信信号のさらなる調節可能な周波数に関して連続的に調節され、送信及び／又は受信信号の関連の信号パラメータが測定される。
【００２１】
効率上の理由から、移動電話において調節可能である各デバイスパラメータのデバイスパラメータ値の変化は、減分的に、又は増分的に調節される。
【００２２】
送信又は受信信号の個々の信号パラメータの測定に関して、或いは送信又は受信信号の同時測定の場合に、各場合に１つのタイムスロットが提供される。個々の測定のためのタイムスロットは、互いにすぐに続いて並べられ、或いは送信又は受信信号の信号パラメータの測定を伴わない１つ又は複数のタイムスロットによって離される。
【００２３】
送信及び／又は受信信号の調節可能な周波数の変化に際して、送信及び／又は受信信号の信号パラメータの１つの測定を伴わないタイムスロットを提供することができる。
【００２４】
本発明によるシステムの第１の実施形態では、測定機器及び移動電話は、測定の開始時に、上位手順制御ユニットによって初期化され、トリガされ、同期され、測定の終了時に、測定された値の評価が実施される。
【００２５】
本発明によるシステムの第２の実施形態は、上位手順制御ユニットの中間接続を伴わずに、２つの送信チャネルを介して、測定機器と移動電話との間で、送信及び／又は受信信号の信号パラメータの初期化、トリガ、同期、及び測定を可能にする。
【００２６】
本発明によるシステムの第３の実施形態は、上位手順制御ユニットの中間接続を伴わずに、１つの送信チャネルを介して、測定機器と移動電話との間で、送信及び／又は受信信号の信号パラメータの初期化、トリガ、同期、及び測定を可能にする。
【００２７】
複数の移動電話のデバイスパラメータとそれぞれの移動電話によって送信及び／又は受信される信号の信号パラメータとの間の依存関係の並列決定のための本発明によるシステムの第１の実施形態は、それぞれ、ｎ個のテストユニット、ｎ個のポート、及びｎ本の接続線によって、総計ｎ個の移動電話からの送信及び受信信号の信号パラメータの測定を可能にする。
【００２８】
複数の移動電話のデバイスパラメータとそれぞれの移動電話によって受信される信号の信号パラメータとの間の依存関係の並列決定のための本発明によるシステムの第２の実施形態は、それぞれ、１つのテストユニット、１つのポート、及びｎ本の接続線によって、総計ｎ個の移動電話からの受信信号の信号パラメータの測定を可能にする。
移動電話のデバイスパラメータと移動電話によって送信及び／又は受信される信号の信号パラメータとの間の依存関係を決定するための本発明による方法及びシステムの実施形態を、以下に図面を参照してより詳細に説明する。
【図面の簡単な説明】
【００２９】
【図１】移動電話のデバイスパラメータと移動電話によって送信及び／又は受信される信号の信号パラメータとの間の依存関係を決定するための本発明によるシステムの第１の実施形態のブロック回路図である。
【図２】移動電話のデバイスパラメータと移動電話によって送信及び／又は受信される信号の信号パラメータとの間の依存関係を決定するための本発明による方法の第１の実施形態の第１の副実施形態変形態様の流れ図である。
【図３】移動電話のデバイスパラメータと移動電話によって送信及び／又は受信される信号の信号パラメータとの間の依存関係を決定するための本発明による方法の第１の実施形態の第２の副実施形態変形態様の流れ図である。
【図４】移動電話のデバイスパラメータと移動電話によって送信及び／又は受信される信号の信号パラメータとの間の依存関係を決定するための本発明による方法の第２の実施形態の流れ図である。
【図５】移動電話のデバイスパラメータと移動電話によって送信及び受信される信号の信号パラメータとの間の依存関係を決定するための本発明による方法の第３の実施形態の流れ図である。
【図６】移動電話のデバイスパラメータと移動電話によって送信及び受信される信号の信号パラメータとの間の依存関係を決定するための本発明による方法の第４の実施形態の流れ図である。
【図７】移動電話のデバイスパラメータと移動電話によって受信される信号の信号パラメータとの間の依存関係を決定するための本発明による方法の第１の実施形態に関する時間依存図である。
【図８】移動電話のデバイスパラメータと移動電話によって送信される信号の信号パラメータとの間の依存関係を決定するための本発明による方法の第１の実施形態に関する時間依存図である。
【図９】時間フレーム内で直接連続して続く複数のタイムスロットを有する時間依存図である。
【図１０】時間フレーム内で離隔距離を有する複数のタイムスロットを有する時間依存図である。
【図１１】それぞれ１つのタイムスロットによって離される複数の時間フレームの時間依存図である。
【図１２】移動電話のデバイスパラメータと移動電話によって送信及び／又は受信される信号の信号パラメータとの間の依存関係を決定するための本発明によるシステムの第２の実施形態のブロック回路図である。
【図１３】移動電話のデバイスパラメータと移動電話によって送信及び／又は受信される信号の信号パラメータとの間の依存関係を決定するための本発明によるシステムの第３の実施形態のブロック回路図である。
【図１４】複数の移動電話のデバイスパラメータとそれぞれの移動電話によって送信及び／又は受信される信号の信号パラメータとの間の依存関係の並列決定のための本発明によるシステムの第１の実施形態のブロック回路図である。
【図１５】複数の移動電話のデバイスパラメータと移動電話によって受信される信号の信号パラメータとの間の依存関係の並列決定のための本発明によるシステムの第２の実施形態のブロック回路図である。
【発明を実施するための形態】
【００３０】
移動電話のデバイスパラメータと移動電話によって送信及び／又は受信される信号の信号パラメータとの間の依存関係を決定するための本発明によるシステムの第１の実施形態の第１の副実施形態変形態様のブロック回路図を表す図１から始めて、以下の節は、移動電話のデバイスパラメータと移動電話によって送信及び／又は受信される信号の信号パラメータとの間の依存関係を決定するための本発明による方法の第１の実施形態の第１の副実施形態変形態様を説明する。
【００３１】
本発明による方法の手順ステップＳ１０において、移動電話の送信信号の信号レベル、及び個々の周波数帯域内での固定送信チャネルに関連付けられる周波数と、個々のデバイスパラメータに関連付けられる設定すべきデバイスパラメータ値とが、上位手順制御ユニット１によって、ポート９及び接続線２を介して移動電話３１に送信され、移動電話の受信信号の信号レベル、及び個々の周波数帯域内での固定受信チャネルに関連付けられる周波数が、ポート１０及び接続線４を介して測定機器５に送信される。移動電話３１及び測定機器５へのこれらのデータ送信は、測定前の予備段階で、又は測定の開始時に実施することができる。
【００３２】
次の手順ステップＳ２０において、測定の開始が、移動電話３１及び測定機器５をトリガすることによって実施される。測定の開始時のデータ送信の場合、移動電話３１及び測定機器５は、データ送信イベントによってトリガされる。データが既に送信されており、移動電話デバイス３１及び測定機器５に存在する場合、個々の測定を、上位手順制御ユニット１からの追加の外部トリガ信号によって開始しなければならない。さらに、手順ステップＳ２０で、上位手順制御ユニット１から移動電話３１及び測定機器５への同期信号の送信が実施される。このようにして、移動電話３１は、測定機器５及び上位手順制御ユニット１と自己同期される。この場合、測定機器５と移動電話３１との連続的な同期のための追加のデバイス（追加のトリガ又は同期ユニット）は必要とされない。
【００３３】
手順ステップＳ３０で、移動電話３１において、送信信号の信号レベル及び第１の周波数値と、設定すべき第１のデバイスパラメータに関する第１のデバイスパラメータ値とを設定することによって、且つ測定機器５において、移動電話３１によって受信信号として受信されるテスト信号の信号レベル及び第１の周波数値を設定することによって、第１の測定が準備される。
【００３４】
次の手順ステップＳ４０で、先行の手順ステップＳ３０で準備された送信信号が、移動電話３１によって、接続線６を介して測定機器５に送信される。この送信信号は、測定機器５によって、そのポート７で、１つ又は複数の信号パラメータ（信号レベル、周波数、位相など）に関して記録される。測定機器５で実施される信号処理によって、測定信号パラメータから、さらなる合成信号パラメータ（例えば、ＥＶＭ、ＣＤＰなど）が決定される。図９に示されるように、時間フレーム内に、信号パラメータを記録するための測定時間として、各場合にタイムスロットが提供される。
【００３５】
同様に、次の手順ステップＳ５０で、測定機器５は、手順ステップＳ３０で準備された受信信号に対応するテスト信号を、同じポート７及び同じ接続線６を介して移動電話３１に送信する。測定機器５によって送信されたテスト信号は、移動電話３１によって受信信号として受信され、１つ又は複数の信号パラメータに関して記録され、そこから、移動電話３１で、信号処理ユニットによって、さらなる合成信号パラメータが決定される。
【００３６】
次の手順ステップＳ６０では、移動電話３１において、第１のデバイスパラメータの次のデバイスパラメータ値が設定され、第１のデバイスパラメータのこのデバイスパラメータ値に関連付けられる送信及び受信信号の信号パラメータの測定値が、手順ステップＳ４０及びＳ５０で測定又はそれぞれ決定される。
【００３７】
手順ステップＳ６０で、第１のデバイスパラメータの全てのデバイスパラメータ値に関連付けられる送信及び受信信号の信号パラメータが全て記録されているとき、移動電話３１において、次のデバイスパラメータの第１のデバイスパラメータ値が設定され、送信及び受信信号の関連の信号パラメータが、手順ステップＳ４０及びＳ５０で決定される。
【００３８】
次の手順ステップＳ７０では、あらゆるデバイスパラメータの全てのデバイスパラメータ値が設定され、送信及び受信信号の関連の信号パラメータが測定されるとすぐに、測定機器５又は移動電話３１からの送信及び受信信号の次の周波数値と、再び第１のデバイスパラメータの第１のデバイスパラメータ値とが、移動電話デバイス３１において設定され、それに従って、送信及び受信信号の次の周波数値と、第１のデバイスパラメータの第１のデバイスパラメータ値とで設定される送信及び受信信号の信号パラメータが、再び手順ステップＳ４０及びＳ５０で記録されなければならない。
【００３９】
最後に、全ての周波数値と、あらゆるデバイスパラメータのあらゆるデバイスパラメータ値とにそれぞれ関連付けられる送信及び受信信号の信号パラメータが移動電話３１及び測定機器５に記録されているとき、任意選択の手順ステップＳ８０で、送信及び受信信号の個々の測定信号パラメータの正当性をチェックすることができる。このために、送信及び受信信号の個々の測定信号パラメータは、典型的には、移動電話３１から接続線２及びポート９を介して、且つ測定機器５からポート８、接続線４、及びポート１０を介して、上位手順制御ユニット１に供給され、それぞれの信号パラメータに関する許容範囲を定義する各場合に２つのしきい値と比較され、これらのしきい値は、上位手順制御ユニット１内に格納されている。
【００４０】
移動電話のデバイスパラメータと移動電話によって送信及び／又は受信される信号の信号パラメータとの間の依存関係を決定するための本発明による方法の第１の実施形態の第２の副実施形態変形態様は、その流れ図が図３に示され、最初に、手順ステップＳ６０で個々のデバイスパラメータの個々のデバイスパラメータ値を変えるのではなく、手順ステップＳ１５０で個々の周波数値が調整され、次いで、手順ステップＳ７０で個々の周波数値を変えるのではなく、手順ステップＳ１６０で個々のデバイスパラメータの個々のデバイスパラメータ値が調整される点で、本発明による方法の第１の実施形態の第１の副実施形態変形態様と異なる。
【００４１】
図３における本発明による方法の第１の実施形態の第２の副実施形態変形態様の他の手順ステップＳ１００、Ｓ１２０、Ｓ１３０、Ｓ１４０、及びＳ１７０は、図２に示される本発明による方法の第１の実施形態の第１の副実施形態変形態様の手順ステップＳ１０、Ｓ２０、Ｓ３０、Ｓ４０、Ｓ５０、及びＳ８０に対応し、したがってさらに説明はしない。
【００４２】
図４に示されるように、移動電話のデバイスパラメータと移動電話によって送信及び／又は受信される信号の信号パラメータとの間の依存関係を決定するための本発明による方法の第２の実施形態の場合、送信及び受信信号の個々の信号パラメータが、各場合に１つのタイムスロット内で同時に測定される。
【００４３】
図１２に示されるように、移動電話のデバイスパラメータと移動電話によって送信及び／又は受信される信号の信号パラメータとの間の依存関係を決定するための本発明によるシステムの第２の実施形態によれば、移動電話３１と測定機器５との間での同時測定のために２つの接続線２'及び６が必要とされる。
【００４４】
本発明によるシステムの第２の実施形態では、上位手順制御ユニット１は提供されない。したがって、送信及び受信信号の信号レベル及び個々の周波数値と、個々のデバイスパラメータの個々のデバイスパラメータ値とは、測定機器５及び移動電話３１における測定の開始前に移動電話３１に既に格納されていなければならない。測定の開始は、移動電話３１と測定機器５との間の相互トリガ及び相互同期によって実施される。
【００４５】
移動電話のデバイスパラメータと移動電話によって送信及び／又は受信される信号の信号パラメータとの間の依存関係を決定するための本発明による方法の第２の実施形態の第１の副実施形態変形態様の場合、送信及び受信信号のあらゆる設定信号レベル及びあらゆる設定周波数と、設定すべき個々のデバイスパラメータのあらゆる設定デバイスパラメータ値とに関して送信及び受信信号の個々の信号パラメータが測定される手順ステップＳ４０及びＳ５０が、１つの手順ステップＳ２３０として組み合わされ、この手順ステップＳ２３０で、送信信号は、移動電話３１によって送信され、測定機器５によって測定され、同時に、受信信号に対応するテスト信号は、測定機器５によって送信され、移動電話３１によって受信信号として測定される。
【００４６】
図４に示される本発明による方法の第２の実施形態の第１の副実施形態変形態様の手順ステップＳ２００、Ｓ２１０、Ｓ２２０、Ｓ２４０、Ｓ２５０、及びＳ２６０は、図２に示される本発明による方法の第１の実施形態の第１の副実施形態変形態様の手順ステップＳ１０、Ｓ２０、Ｓ３０、Ｓ６０、Ｓ７０、及びＳ８０に対応し、したがってさらに説明はしない。
【００４７】
送信及び受信信号が同時に測定され、第１の反復ループで個々の周波数値が調整され、第１の反復ループに重畳される第２の反復ループで個々のデバイスパラメータの個々のデバイスパラメータ値が調整される、移動電話のデバイスパラメータと移動電話によって送信及び／又は受信される信号の信号パラメータとの間の依存関係を決定するための本発明による方法の第２の実施形態の第２の副実施形態変形態様は、図４に示される本発明による方法の第２の実施形態の第１の副実施形態変形態様の手順ステップＳ２００、Ｓ２１０、Ｓ２２０、Ｓ２３０と、図３に示される本発明による方法の第１の実施形態の第２の副実施形態変形態様の手順ステップＳ１５０及びＳ１６０とを組み合わせることによって得られ、したがって、図面のさらなる図には例示せず、より詳しくは説明しない。
【００４８】
図５に示される、移動電話のデバイスパラメータと移動電話によって送信及び／又は受信される信号の信号パラメータとの間の依存関係を決定するための本発明による方法の第３の実施形態の第１の副実施形態変形態様の場合、それぞれ、あらゆる設定信号レベル及びあらゆる設定周波数と、移動電話３１で調節可能なあらゆるデバイスパラメータのあらゆる設定デバイスパラメータ値とに関して、最初に、送信信号の個々の関連の信号パラメータが測定され、これに続いて、受信信号の個々の関連の信号パラメータが測定される。
【００４９】
図５に示される本発明による方法の第３の実施形態の第１の副実施形態変形態様の手順ステップＳ３００、Ｓ３１０、Ｓ３２０、Ｓ３３０、Ｓ３４０、Ｓ３５０、及びＳ３９０は、図２に示される本発明による方法の第１の実施形態の第１の副実施形態変形態様の手順ステップＳ１０、Ｓ２０、Ｓ３０、Ｓ４０、Ｓ５０、Ｓ６０、Ｓ７０、及びＳ８０に対応し、したがってさらに説明はしない。個々の周波数、及び個々の調節可能なデバイスパラメータの個々のデバイスパラメータ値の変化と、受信信号の個々の信号パラメータの測定とに関係する、本発明による方法の第３の実施形態の変形形態の第１の副実施形態の手順ステップＳ３６０、Ｓ３７０、及びＳ３８０は、個々の周波数、及び個々の調節可能なデバイスパラメータの個々のデバイスパラメータ値の変化と、送信信号の個々の信号パラメータの測定とに関する手順ステップＳ３３０、Ｓ３４０、及びＳ３５０に対応する。
【００５０】
最初に受信信号の個々の信号パラメータが測定され、これに続いて送信信号の個々の信号パラメータが測定される、本発明による方法の第３の実施形態の第１の副実施形態変形態様は、図５の流れ図において、単に手順ステップＳ３３０〜Ｓ３５０と手順ステップＳ３６０〜Ｓ３８０とを交換したものである。
【００５１】
送信及び受信信号の個々の信号パラメータの測定のために、最初に、個々の周波数値が、各場合に反復ループで調整され、これに続いて、個々の調節可能なデバイスパラメータの個々のデバイスパラメータ値が、第１の反復ループに重畳される第２の反復ループで調整される、移動電話のデバイスパラメータと移動電話によって送信及び／又は受信される信号の信号パラメータとの間の依存関係を決定するための本発明による方法の第３の実施形態の第２の副実施形態変形態様は、手順ステップＳ３４０及びＳ３５０と手順ステップＳ３７０及びＳ３８０との順序を交換することによって得られる。
【００５２】
図６に示される、移動電話のデバイスパラメータと移動電話によって送信及び／又は受信される信号の信号パラメータとの間の依存関係を決定するための本発明による方法の第４の実施形態の第１の副実施形態変形態様では、図５に示される本発明による方法の第３の実施形態の第１の副実施形態変形態様と類似して、最初に、送信信号の個々の信号パラメータが、個々のデバイスパラメータの調整されたデバイスパラメータ値でそれぞれ測定され、これに続いて、受信信号の個々の信号パラメータが、個々のデバイスパラメータの調整されたデバイスパラメータ値でそれぞれ測定され、その後、さらなる反復ループで、送信信号と受信信号との個々の信号パラメータの測定のための個々の周波数値が同時に調整される。したがって、個々の周波数値を変えるための本発明による方法の第３の実施形態の第１の副実施形態変形態様の手順ステップＳ３５０とＳ３８０とが、本発明による方法の第４の実施形態の第１の副実施形態変形態様では、ただ１つの手順ステップＳ４８０として併合される。ここで、本発明による方法の第４の実施形態の第１の副実施形態変形態様の手順ステップＳ４００、Ｓ４１０、Ｓ４４０、Ｓ４５０、Ｓ４６０、Ｓ４７０、及びＳ４８０は、本発明による方法の第３の実施形態の第１の副実施形態変形態様の手順ステップＳ３００、Ｓ３１０、Ｓ３４０、Ｓ３６０、Ｓ３７０、及びＳ３８０に対応し、したがってさらに説明はしない。本発明による方法の第３の実施形態の第１の副実施形態の変形態様の手順ステップＳ３２０の内容は、本発明による方法の第４の実施形態の第１の副実施形態変形態様の２つの手順ステップＳ４４０及びＳ４５０に分けられる。
【００５３】
最初に受信信号の個々の信号パラメータが測定され、これに続いて送信信号の個々の信号パラメータが測定される、本発明による方法の第４の実施形態の第１の副実施形態変形態様は、図６に示される流れ図において、単に手順ステップＳ４４０〜Ｓ４５０と手順ステップＳ４７０〜Ｓ４８０とを交換したものである。
【００５４】
送信及び受信信号の個々の信号パラメータを測定するために、個々の周波数値が、それぞれ反復ループで調整され、これに続いて、個々の調節可能なデバイスパラメータの個々のデバイスパラメータ値が、第１の反復ループに重畳される第２の反復ループで調整される、移動電話のデバイスパラメータと移動電話によって送信及び／又は受信される信号の信号パラメータとの間の依存関係を決定するための本発明による方法の第４の実施形態の第２の副実施形態変形態様は、手順ステップＳ４５０又はＳ４７０の内容を、本発明による方法の第４の実施形態の第１の副実施形態変形態様の手順ステップＳ４８０の内容と交換することによって得られる。
【００５５】
図１１に示されるように、送信チャネルに関して所与の周波数値で実施すべき送信又は受信信号の個々の信号パラメータの測定は、所与のデバイスパラメータに関して調整すべきデバイスパラメータ値それぞれに関する複数のタイムスロットからそれぞれ成る時間フレーム内に並べられる。さらなるデバイスパラメータに関して調整すべきデバイスパラメータ値を、送信及び受信信号の個々の信号パラメータを測定するために調整しなければならない場合、又はデバイスパラメータに関して調整すべきデバイスパラメータ値を、送信又は受信信号のさらなる周波数値に関して調整しなければならない場合、図１１に示されるように、測定を伴わないタイムスロットによって先行の時間フレームから時間的に離されたさらなる時間フレームが、所与のデバイスパラメータに関して調整すべき新たなデバイスパラメータ値を有して提供される。
【００５６】
時間フレームの個々のタイムスロット内での送信又は受信信号の個々の信号パラメータの測定は、図９に示されるように直接連続して続くことができ、或いは各場合に１つ又は複数の測定を伴わないタイムスロットによって間隔を空けることができる。
【００５７】
図７は、時間にわたる、移動電話３１の受信チャネルにおいて調節可能なデバイスパラメータのデバイスパラメータ値の変化と、周波数値の変化とに際してテストすべき受信信号の信号パラメータの例を示す。類似して、図８は、時間にわたる、移動電話３１の送信チャネルにおいて調節可能なデバイスパラメータのデバイスパラメータ値の変化と、周波数値の変化とに際してテストすべき送信信号の信号パラメータの例を提供する。
【００５８】
調整すべきデバイスパラメータの個々のデバイスパラメータ値の調整は、増分的に（例えば、図７及び８に例示されるように）、又は減分的に（例えば、図９、１０、及び１１に例示されるように）実施することができる。
【００５９】
図１３に示される、移動電話のデバイスパラメータと移動電話によって送信及び／又は受信される信号の信号パラメータとの間の依存関係を決定するための本発明によるシステムの第３の実施形態は、移動電話３１と測定機器５との間の伝送が、移動電話３の送信及び受信操作の両方向で単一ポート７'及び単一接続６'を介して実施されるという点で、本発明によるシステムの第１及び第２の実施形態と異なる。したがって、送信及び受信信号の個々の信号パラメータの同時記録のための本発明によるシステムの第３の実施形態は、本発明による方法の第２の実施形態では使用することができない。
【００６０】
図１４は、複数の移動電話３１、３２、...、３ｍ、３ｎのデバイスパラメータと複数の移動電話３１、３２、...、３ｍ、３ｎによってそれぞれ送信及び／又は受信される信号の信号パラメータとの間の依存関係の並列決定のための本発明によるシステムに関するブロック回路図を示す。測定機器５は、総計ｎ個のテストユニットとｎ個のポート７１、７２、...、７ｍ、７ｎとを提供し、それらが、それぞれ接続線６１、６２、...、６ｍ、６ｎを介して総計ｎ個の移動電話３１、３２、...、３ｍ、３ｎの１つに接続されるので、複数の移動電話３１、３２、...、３ｍ、３ｎのデバイスパラメータと複数の移動電話３１、３２、...、３ｍ、３ｎによってそれぞれ送信及び／又は受信される信号の信号パラメータとの間の依存関係の並列決定が可能である。
【００６１】
図２、３、４、５、及び６に示される、本発明による方法の個々の実施形態及びそれらの副実施形態変形態様の手順ステップＳ１０、Ｓ１００、Ｓ２００、Ｓ３００、及びＳ４００の意味範囲内で、送信及び受信信号の信号レベル及び個々の周波数と、それぞれの移動電話３１、３２、...、３ｍ、３ｎにおいて設定すべき個々のデバイスパラメータのデバイスパラメータ値とが、上位手順制御ユニット１から、測定機器５の個々のテストユニット、及び個々の移動電話３１、３２、...、３ｍ、３ｎにそれぞれ接続線４及び２を介して送信される。
【００６２】
図２、３、４、５、及び６に示される、手順ステップＳ２０、Ｓ１１０、Ｓ２１０、Ｓ３１０、及びＳ４１０での測定機器５と個々の移動電話３１、３２、...、３ｍ、３ｎとのトリガ及び同期と、手順ステップＳ３０、Ｓ１２０、Ｓ２２０、Ｓ３２０、Ｓ４２０、及びＳ４３０での、個々の移動電話３１、３２、...、３ｍ、３ｎ及び測定機器５における送信及び受信信号の信号レベルと第１の周波数値との設定、並びにそれぞれの移動電話３１、３２、...、３ｍ、３ｎの送信又は受信チャネルにおいて設定すべき第１のデバイスパラメータのデバイスパラメータ値の設定の後、図２、３、４、５、及び６に示される本発明による方法の個々の実施形態及びそれらの副実施形態変形態様の個々の手順ステップＳ４０〜Ｓ７０、Ｓ１３０〜Ｓ１６０、Ｓ２３０〜Ｓ２５０、Ｓ３３０〜Ｓ３８０、及びＳ４４０〜Ｓ４８０で、個々の移動電話３１、３２、...、３ｍ、３ｎの送信及び受信信号の個々の信号パラメータが、あらゆる個々の周波数値と、設定すべきあらゆるデバイスパラメータのあらゆる個々のデバイスパラメータ値とに関して測定される。
【００６３】
最後に、図１５は、複数の移動電話３１、３２、...、３ｍ、３ｎのデバイスパラメータと複数の移動電話３１、３２、...、３ｍ、３ｎによってそれぞれ受信される信号の信号パラメータとの間の依存関係の並列決定に関する本発明によるシステムの第２の実施形態に関するブロック回路図を示し、この実施形態は、全ての接続線６１、６２、...、６ｍ、６ｎがそこに供給されるただ１つのポート７''を提供するという点で第１の実施形態とは異なる。総計ｎ個のテストユニットを有する図１４に示される複数の移動電話３１、３２、...、３ｍ、３ｎのデバイスパラメータと複数の移動電話３１、３２、...、３ｍ、３ｎによってそれぞれ送信及び／又は受信される信号の信号パラメータとの間の依存関係の並列決定に関する本発明によるシステムの実施形態と比べると、図１５に示される第２の実施形態での測定機器５は、ただ１つのテストユニットのみを提供する。
【００６４】
それぞれのデバイスパラメータの各調節されたデバイスパラメータ値に応じて受信信号の個々の信号パラメータを決定するために、全ての移動電話３１、３２、...、３ｍ、３ｎが、受信信号に対応する同一のテスト信号を受信端に供給されるので、このテスト信号は、測定機器５によって一意に発生され、図１５に示されるように測定機器５によって単一ポート７''を介して出力され、個々の接続線６１、６２、...、６ｍ、６ｎを介して個々の移動電話３１、３２、...、３ｍ、３ｎに供給される。
【００６５】
本発明は、提示した実施形態に限定されない。特に、本発明は、所与の移動電話規格に限定されない。複数の送信及び受信アンテナを有する、したがって複数の送信及び受信チャネルも有する移動電話デバイス（いわゆるＭＩＭＯシステム）も、本発明によって網羅される。
【図１】
0005515088.tif 000002
【図２】
0005515088.tif 000003
【図３】
0005515088.tif 000004
【図４】
0005515088.tif 000005
【図６】
0005515088.tif 000006
【図７】
0005515088.tif 000007
【図８】
0005515088.tif 000008
【図９】
0005515088.tif 000009
【図１０】
0005515088.tif 000010
【図１１】
0005515088.tif 000011
【図１２】
0005515088.tif 000012
【図１３】
0005515088.tif 000013
【図１４】
0005515088.tif 000014
【図１５】
0005515088.tif 000015
【図５】
0005515088.tif 000016